(57)【要約】【課題】空気混入防止浮きなどの簡易な構成で、空気の混入を最小限にできる。【解決手段】臭化リチウム溶液３ｂの抽出もしくは封入を行なうサンプリングバルブ７に連結され、臭化リチウム溶液３ｂの抽出を行なう抽出バルブ７ａと、この抽出バルブ７ａから供給される臭化リチウム溶液３ｂが流入する上部溶液槽３と、この上部溶液槽３の下方に設けられ上部溶液槽３から供給される臭化リチウム溶液３ｂが流入する下部溶液槽４と、この上下部溶液槽３，４間に隔てるように設けられその一部に開口１０ａを設けた隔壁部１０と、上部溶液槽３の液面低下に応じて下降し開口１０ａを塞ぐ空気混入防止浮き２と、下部溶液槽４とサンプリングバルブ７間に設けられ下部溶液槽４から循環ライン９ａに臭化リチウム溶液３ｂを封入する封入バルブ７ｂと、下部溶液槽４に設けられ下部溶液槽４内の溶液を溶液槽外へ抽出する槽外抽出バルブ６とを備えている。【選択図】図１
2010084988.tif 000002
【特許請求の範囲】
【請求項１】
冷媒として水を、吸収剤として臭化リチウム溶液を用いる吸収冷凍機の溶液抽出封入装置において、
前記吸収冷凍機内で前記臭化リチウム溶液が循環する循環ラインに設けられ前記臭化リチウム溶液の抽出もしくは封入を行なうサンプリングバルブに連結され、前記臭化リチウム溶液の抽出を行なう抽出バルブと、この抽出バルブから供給される前記臭化リチウム溶液が流入する上部溶液槽と、この上部溶液槽の下方に設けられ前記上部溶液槽から供給される前記臭化リチウム溶液が流入する下部溶液槽と、これらの上部溶液槽と下部溶液槽の間に隔てるように設けられ、その一部に開口を設けた隔壁部と、前記上部溶液槽の液面低下に応じて下降し前記開口を塞ぐ空気混入防止浮きと、前記下部溶液槽と前記サンプリングバルブ間に設けられ、前記下部溶液槽から前記循環ラインに前記臭化リチウム溶液を封入する封入バルブと、前記下部溶液槽に設けられ、前記下部溶液槽内の溶液を溶液槽外へ抽出する槽外抽出バルブとを備えたことを特徴とする吸収冷凍機の溶液抽出封入装置。
【発明の詳細な説明】
【技術分野】
【０００１】
本発明は、吸収冷凍機内に配置される臭化リチウム溶液が循環する循環ラインの一部と、臭化リチウム溶液の抽出もしくは封入を行なうサンプリングバルブとを有する吸収冷凍機の溶液抽出封入装置に関する。
【背景技術】
【０００２】
従来、一般的に冷媒として水を、吸収剤として臭化リチウム溶液を用いる吸収冷凍機においては、吸収冷凍機内に配置される臭化リチウム溶液が循環する循環ラインの一部に、臭化リチウム溶液の抽出もしくは封入を行なうサンプリングバルブが設けられている。このサンプリングバルブから抽出した臭化リチウム溶液の温度や濃度をチェックし、吸収冷凍機の性能の維持管理を行っている。
【０００３】
また、臭化リチウム溶液は所定量以上を抽出しなければ、その温度や濃度をチェックできないが、チェックした後の臭化リチウム溶液は、循環ラインに戻さなければならない。しかし、循環ラインの中は真空状態に維持されているため、抽出した臭化リチウム溶液に空気が混入すると、循環ライン中の真空状態が破壊され、吸収冷凍機の性能を低下させる問題点がある。
【０００４】
そこで、従来では、サンプリングバルブから真空状態を維持した抽出容器に溶液を取り出してチェックした後、この真空の抽出容器からサンプリングバルブを介して溶液を循環ラインに戻す構成の溶液抽出装置が提案されている（特許文献１参照）。
【特許文献１】特開２００１−５０６０２号公報
【発明の開示】
【発明が解決しようとする課題】
【０００５】
しかし上記従来技術では、真空状態を維持した抽出容器が必要であり、さらに真空抽出容器自体の機密性の信頼性に問題があるとともに、溶液を抽出、封入するための専用の真空ポンプが必要である為、大掛かりで高価な装置となるという問題点があった。
【０００６】
本発明は、上記問題点に鑑みてなされたもので、その目的は、簡易な構成で、空気の混入を最小限にすることができる吸収冷凍機の溶液抽出封入装置を提供することにある。
【課題を解決するための手段】
【０００７】
本発明は、上記目的を解決するために、冷媒として水を、吸収剤として臭化リチウム溶液を用いる吸収冷凍機の溶液抽出封入装置において、前記吸収冷凍機内で前記臭化リチウム溶液が循環する循環ラインに設けられ前記臭化リチウム溶液の抽出もしくは封入を行なうサンプリングバルブに連結され、前記臭化リチウム溶液の抽出を行なう抽出バルブと、この抽出バルブから供給される前記臭化リチウム溶液が流入する上部溶液槽と、この上部溶液槽の下方に設けられ前記上部溶液槽から供給される前記臭化リチウム溶液が流入する下部溶液槽と、この上下部溶液槽間に隔てるように設けられその一部に開口を設けた隔壁部と、前記上部溶液槽の液面低下に応じて下降し前記開口を塞ぐ空気混入防止浮きと、前記下部溶液槽と前記サンプリングバルブ間に設けられ前記下部溶液槽から前記循環ラインに前記臭化リチウム溶液を封入する封入バルブと、前記下部溶液槽に設けられ前記下部溶液槽内の溶液を溶液槽外へ抽出する槽外抽出バルブとを備えたことを特徴としている。
【０００８】
このように構成した本発明は、サンプリングバルブから抽出バルブを介して抽出された臭化リチウム溶液は、上部溶液槽を介して下部溶液槽に流入させた後、槽外抽出バルブを開き、チェックを行う分量の溶液を槽外へ抽出する。このとき、上部溶液槽の液面低下に応じて空気混入防止浮きが下降し、隔壁部の開口を塞ぐため、上部溶液槽と下部溶液槽との間の空気流入は遮断される。したがって、下部溶液槽から封入バルブとサンプリングバルブとを介して臭化リチウム溶液を循環ラインに戻すことで、空気の混入を最小限にして溶液の抽出および封入作業を行うことができる。すなわち、本発明は、上部溶液槽および下部溶液槽と、開口を設けた隔壁部と、開口をふさぐ空気混入防止浮きと、封入バルブおよび槽外抽出バルブとを備え、真空抽出容器や溶液を抽出、封入するための専用の真空ポンプを要しない簡易な構成で空気の混入を最小限とすることができる。
【発明の効果】
【０００９】
本発明は、吸収冷凍機内で臭化リチウム溶液が循環する循環ラインに設けられ臭化リチウム溶液の抽出もしくは封入を行なうサンプリングバルブに連結され、臭化リチウム溶液の抽出を行なう抽出バルブと、この抽出バルブから供給される臭化リチウム溶液が流入する上部溶液槽と、この上部溶液槽の下方に設けられ上部溶液槽から供給される臭化リチウム溶液が流入する下部溶液槽と、これらの上部溶液槽と、下部溶液槽の間に隔てるように設けられその一部に開口を設けた隔壁部と、上部溶液槽の液面低下に応じて下降し開口を塞ぐ空気混入防止浮きと、下部溶液槽とサンプリングバルブ間に設けられ下部溶液槽から循環ラインに臭化リチウム溶液を封入する封入バルブと、下部溶液槽に設けられ下部溶液槽内の溶液を溶液槽外へ抽出する槽外抽出バルブとを備えており、従来のような真空抽出容器や溶液を抽出、封入するための専用の真空ポンプを要しない簡易な構成で、空気の混入を最小限にして溶液の抽出および封入作業を行なうことができる。したがって、装置の大型化を抑えることができるとともに、従来に比べて製作費を安くすることができる。
【発明を実施するための最良の形態】
【００１０】
以下、本発明に係る吸収冷凍機の溶液抽出封入装置を実施するための最良の形態を図に基づいて説明する。
【００１１】
図１は、本発明に係る吸収冷凍機の溶液抽出封入装置の一実施形態を示す全体構成図である。
【００１２】
この本実施形態に係る吸収冷凍機の溶液抽出封入装置１は、冷媒として水を、吸収剤として臭化リチウム溶液３ｂを用い、吸収冷凍機９内で臭化リチウム溶液３ｂが循環する循環ライン９ａに設けられ臭化リチウム溶液３ｂの抽出もしくは封入を行なうサンプリングバルブ７に連結され、臭化リチウム溶液３ｂの抽出を行なう抽出バルブ７ａが備えられている。
【００１３】
この抽出バルブ７ａから供給される臭化リチウム溶液３ｂが流入する上部溶液槽３と、この上部溶液槽３の下方に設けられ上部溶液槽３から供給される臭化リチウム溶液３ｂが流入する下部溶液槽４と、これらの上部溶液槽３と下部溶液槽４の間を隔てるように設けられその一部に開口１０ａを設けた隔壁部１０とが備えられている。
【００１４】
また、上部溶液槽３の液面低下に応じて下降し隔壁部１０の開口１０ａを塞ぐ空気混入防止浮き２と、下部溶液槽４とサンプリングバルブ７間に設けられ下部溶液槽４から循環ライン９ａに臭化リチウム溶液３ｂを封入する封入バルブ７ｂと、下部溶液槽４に設けられ下部溶液槽４内の溶液を溶液槽外へ抽出する槽外抽出バルブ６が備えられている。槽外抽出バルブ６より抽出された臭化リチウム溶液３ｂは、上方が開口した形状のサンプリング容器５に移されて、温度や濃度のチェックが行われる。なお、吸収冷凍機９内に、臭化リチウム溶液３ｂを循環ライン９ａ内で循環させるための真空ポンプ８が備えられている。また、前述した開口１０ａは例えば円形に形成されており、前述した空気混入防止浮き２は、開口１０ａより直径の大きい球形に形成されている。
【００１５】
このように構成した本実施形態は、サンプリングバルブ７から抽出バルブ７ａを介して抽出された臭化リチウム溶液３ｂは、上部溶液槽３を介して下部溶液槽４に流入させたあと、槽外抽出バルブ６を開き、抽出された臭化リチウム溶液３ｂはサンプリング容器５に移される。また、上部溶液槽３の液面低下に応じて空気混入防止浮き２が下降し、隔壁部１０の開口１０ａを塞ぐため、上部溶液槽３と下部溶液槽４との間の空気流入は遮断される。すなわち空気層３ａは、下部溶液槽４とは遮断される。下部溶液槽４の臭化リチウム溶液３ｂは下部溶液槽４から封入バルブ７ｂとサンプリングバルブ７とを介し、循環ライン９ａに戻される。
【００１６】
臭化リチウム溶液３ｂが上部溶液槽３に流入すると、上部溶液槽３の液面上昇に応じて空気混入防止浮き２が隔壁部１０の開口１０ａから上昇、隔壁部１０の開口１０ａが再び開かれる。
【００１７】
以上のように構成した本実施形態によれば、前述したように、臭化リチウム溶液３ｂは、吸収冷凍機９からサンプリングバルブ７と抽出バルブ７ａを介して、吸収冷凍機の溶液抽出封入装置１に移り、空気混入防止浮き２によって下部溶液槽４への空気流入を遮断し、空気の混入を最小限にして溶液の抽出および封入作業を行うことができる。これにより、抽出した臭化リチウム溶液３ｂの温度や濃度を正確にチェックし、吸収冷凍機９の性能の維持管理を確実に行うことができる。すなわち、真空抽出容器や、溶液を抽出、封入するための専用の真空ポンプ、つまり循環ライン９ａに設けられる通常の真空ポンプ８の他の真空ポンプを要することがなく、装置の大型化を抑えることができるとともに、製作費を安くすることができる。
【図面の簡単な説明】
【００１８】
【図１】本発明に係る吸収冷凍機の溶液抽出封入装置の一実施形態を示す全体構成図である。
【符号の説明】
【００１９】
１      吸収冷凍機の溶液抽出封入装置
２      空気混入防止浮き
３      上部溶液槽
３ｂ    臭化リチウム溶液
４      下部溶液槽
５      サンプリング容器
６      槽外抽出バルブ
７      サンプリングバルブ
７ａ    抽出バルブ
７ｂ    封入バルブ
９      吸収冷凍機
９ａ    循環ライン
１０    隔壁部
１０ａ  開口
【図１】
2010084988.tif 000003